(57)【要約】【課題】  開閉扉を開けた時の開口部付近に発生する氷の付着を最小限に抑えることができる超低温フリーザを提供する。【解決手段】  本発明の超低温フリーザは、例えば検体、細胞、ＤＮＡ、血液、製剤、高級食料品等の各種保存物を貯蔵する複数の貯蔵ケース１と、貯蔵ケース１を収納する冷凍室２を備えた本体３と、本体３に回動可能に取り付けられ、冷凍室２の開口部２ａを開閉する内側開閉扉４ａ及び外側開閉扉４ｂと、冷凍室２の開口部２ａを塞ぐように取り付けられ、貯蔵ケース１が挿入される挿入孔５ａが複数形成された断熱パネル５とを有する。貯蔵ケース１の引き出しカバー１ｂの裏面には、断熱パネル５の挿入孔５ａに挿入され、冷凍室２内に収納された時に、断熱パネル５とともに開口部２ａを塞ぐ断熱部１ｃが設けられている。【選択図】  図３
2005030703.tif 000002
【特許請求の範囲】
【請求項１】
保存物を貯蔵する複数の貯蔵ケースと、前記貯蔵ケースを収納する冷凍室を備えた本体と、前記本体に回動可能に取り付けられ、前記冷凍室の開口部を開閉する開閉扉と、前記冷凍室の開口部を塞ぐように取り付けられ、前記貯蔵ケースが挿入される挿入孔が複数形成された断熱パネルとを有する超低温フリーザであって、
前記貯蔵ケースには、前記断熱パネルの挿入孔に挿入され、前記冷凍室内に収納された時に、前記断熱パネルとともに開口部を塞ぐ断熱部が設けられていることを特徴とする超低温フリーザ。
【請求項２】
前記冷凍室の開口部は、前記本体の側面方向に形成されていることを特徴とする請求項１に記載の超低温フリーザ。
【請求項３】
前記冷凍室には、前記断熱パネルの挿入孔に挿入される貯蔵ケースをガイドするガイドレールが設けられていることを特徴とする請求項２に記載の超低温フリーザ。
【請求項４】
前記冷凍室の開口部は、前記本体の上面方向に形成されていることを特徴とする請求項１に記載の超低温フリーザ。
【請求項５】
前記断熱パネルと前記冷凍室の底部との間に補強用支柱が設けられていることを特徴とする請求項４に記載の超低温フリーザ。
【発明の詳細な説明】
【技術分野】
【０００１】
本発明は、例えば検体、細胞、ＤＮＡ、血液、製剤、高級食料品等の各種保存物を超低温で保存するための超低温フリーザに関し、特に、開閉扉を開けた時の開口部付近に発生する氷の付着を最小限に抑えることができる超低温フリーザに関する。
【背景技術】
【０００２】
一般に、バイオ分野、医療分野、食品分野等では、検体、細胞、ＤＮＡ、血液、製剤、高級食料品等の貴重な保存物を長期に亙って収納・保存するため、−３０℃〜−１５０℃に温度設定可能な冷凍室を有する超低温フリーザ（冷凍庫）が使用されている。
【０００３】
近年、環境保護によるフロン規制の影響で、フロン規制に対応した超低温フリーザが開発されている。しかし、この種の超低温フリーザでは、フロンの使用禁止によって冷却能力が低下するため、例えば保存物の取り出しの際に冷凍室内の温度が上昇し、コンプレッサの可動時間が長くなる。その結果、コンプレッサが故障しやすくなり、製品寿命が短くなるという問題があった。
【０００４】
そこで、冷凍室内の断熱効果を向上させるため、開閉扉及び筐体に断熱材を配置した超低温フリーザが提案されている（例えば特許文献１参照）。
【０００５】
【特許文献１】特開２００２−３３３２５５号公報
【発明の開示】
【発明が解決しようとする課題】
【０００６】
従来の超低温フリーザでは、開閉扉及び筐体に断熱材を配置しているので、低温での温度維持を良好にすることができる。
【０００７】
しかし、開閉扉を開けると、広い開口部が開放されるので、内外の温度差により冷凍室内の冷気が外部に大量に流出して、開口部付近の温度が上昇する。これによって開口部付近の空気が水滴となり、再度、開閉扉を閉めると、この水滴が氷となって開口部付近に付着する。このように開閉扉の開閉の度に氷の付着が蓄積されて、大きな氷の塊が形成される。その結果、開口部付近に形成された氷の塊のために開閉扉をスムーズに開閉できなくなったり、保存物を入れる貯蔵ケースをスムーズに出し入れできなくなったりするという課題があった。また、上記の氷の付着は、開口部付近の温度上昇をもたらし、コンプレッサに負荷がかかるという課題があった。
【０００８】
本発明は、上記課題を解決するためになされたものであり、開閉扉を開けた時の開口部付近に発生する氷の付着を最小限に抑えることができる超低温フリーザを提供することを目的とする。
【課題を解決するための手段】
【０００９】
本発明の第１の超低温フリーザによれば、保存物を貯蔵する複数の貯蔵ケースと、前記貯蔵ケースを収納する冷凍室を備えた本体と、前記本体に回動可能に取り付けられ、前記冷凍室の開口部を開閉する開閉扉と、前記冷凍室の開口部を塞ぐように取り付けられ、前記貯蔵ケースが挿入される挿入孔が複数形成された断熱パネルとを有する超低温フリーザであって、前記貯蔵ケースには、前記断熱パネルの挿入孔に挿入され、前記冷凍室内に収納された時に、前記断熱パネルとともに開口部を塞ぐ断熱部が設けられていることを特徴とするものである。
【００１０】
前記冷凍室の開口部は、前記本体の側面方向に形成されていてもよい。
【００１１】
前記冷凍室には、前記断熱パネルの挿入孔に挿入される貯蔵ケースをガイドするガイドレールが設けられていてもよい。
【００１２】
前記冷凍室の開口部は、前記本体の上面方向に形成されていてもよい。
【００１３】
前記断熱パネルと前記冷凍室の底部との間に補強用支柱が設けられていてもよい。
【発明の効果】
【００１４】
本発明の超低温フリーザによれば、貯蔵ケースが断熱パネルの挿入孔に挿入され、冷凍室内に収納された時に、貯蔵ケースの断熱部と断熱パネルとにより、冷凍室の開口部がほとんど塞がれる。従って、保存物の低温での温度維持を非常に良好にすることができる。また、開閉扉を開けて、保存物を取り出すために貯蔵ケースを引き出しても、引き出した部分から冷凍室内の冷気が流出されるだけであるので、従来に比べ、開口部付近の温度の上昇を抑制できる。その結果、開口部付近での氷の付着を最小限に抑えることができるので、開閉扉の開閉及び貯蔵ケースの出し入れをスムーズに行うことができる。また、氷の付着に伴う開口部付近の温度上昇を抑えることにより、コンプレッサの負荷を低減できる。
【発明を実施するための最良の形態】
【００１５】
以下、本発明の実施の形態について図面を参照して説明する。
【実施例１】
【００１６】
図１は、本発明の実施例１に係る超低温フリーザの開閉扉を閉めた状態を示す正面図、図２は、本発明の実施例１に係る超低温フリーザの開閉扉を開けた状態を示す正面図、図３は、貯蔵ケースを引き出している状態を示す図２のａ−ａ線断面図、図４は、断熱パネルを示す正面図である。
【００１７】
本発明の実施例１に係る超低温フリーザは、図１乃至図４に示すように、例えば検体、細胞、ＤＮＡ、血液、製剤、高級食料品等の各種保存物を貯蔵する複数の貯蔵ケース（貯蔵トレー）１と、貯蔵ケース１を収納する冷凍室２を備えた本体３と、本体３に回動可能に取り付けられ、冷凍室２の開口部２ａを開閉する内側開閉扉４ａ及び外側開閉扉４ｂと、冷凍室２の開口部２ａを塞ぐように取り付けられ、貯蔵ケース１が挿入される挿入孔５ａが複数形成された断熱パネル５とを有する。
本発明の実施例１に係る超低温フリーザは、冷凍室２の開口部２ａが本体３の側面方向に形成されている縦型のフリーザである。
【００１８】
冷凍室２には断熱材が内装されている。
【００１９】
貯蔵ケース１は取っ手１ａと断熱材で形成された引き出しカバー１ｂが設けられている。
【００２０】
図３に示すように、貯蔵ケース１の引き出しカバー１ｂの裏面には、断熱パネル５の挿入孔５ａに挿入され、冷凍室２内に収納された時に、断熱パネル５とともに開口部２ａを塞ぐ断熱部１ｃが設けられている。図３において、断熱パネル５の周縁部と断熱部１ｃとの間の隙間は狭く（例えば０．５ｍｍ程度）に設計することにより、冷気の漏れを最小限に抑えることが可能となる。
【００２１】
冷凍室２には断熱パネル５の挿入孔５ａに挿入される貯蔵ケース１をガイドするガイドレール６が複数本（図３では２本）設けられている。このガイドレール６上に貯蔵ケース１が載置される。なお、図３中、６ａは引き出し受け金具である。
【００２２】
本体３の下部には機械室７が設けられている（図１参照）。機械室７には、冷凍室２内を冷凍する冷凍装置、温度センサによって検知された冷凍室２内の温度を表示する表示パネル、各種操作スイッチ等が設けられている。
【００２３】
本体３の底部には、移動用のキャスター８が取り付けられている。
【００２４】
本発明の実施例１に係る超低温フリーザによれば、貯蔵ケース１が断熱パネル５の挿入孔５ａに挿入され、冷凍室２内に収納された時に、貯蔵ケース１の断熱部１ｃと断熱パネル５とにより、冷凍室２の開口部２ａがほとんど塞がれる。従って、保存物の低温での温度維持を非常に良好にすることができる。また、外側開閉扉４ｂ及び内側開閉扉４ａを開けて、保存物を取り出すために貯蔵ケース１を引き出しても、引き出した部分から冷凍室２内の冷気が流出されるだけであるので、従来に比べ、開口部２ａ付近の温度の上昇を抑制できる。その結果、開口部２ａ付近での氷の付着を最小限にできるので、内側開閉扉４ａの開閉及び貯蔵ケース１の出し入れをスムーズに行うことができる。また、氷の付着に伴う開口部２ａ付近の温度上昇を抑えることにより、コンプレッサの負荷を低減できる。
【００２５】
また、貯蔵ケース１は、ガイドレール６上に載置された状態で、ガイドレール６との接触面積が少ないので、貯蔵ケース１の出し入れをよりスムーズに行うことができる。
【実施例２】
【００２６】
図５（Ａ）は本発明の実施例２に係る超低温フリーザを示す側面図、（Ｂ）はその正面図、図６は、貯蔵ケースを引き出している状態を示す図５（Ａ）のｂ−ｂ線断面図である。
【００２７】
本発明の実施例２に係る超低温フリーザは、図５及び図６に示すように、例えば検体、細胞、ＤＮＡ、血液、製剤、高級食料品等の各種保存物を貯蔵する複数の貯蔵ケース（貯蔵ラック）１と、貯蔵ケース１を収納する冷凍室２を備えた本体３と、本体３に回動可能に取り付けられ、冷凍室２の開口部２ａを開閉する開閉扉４と、冷凍室２の開口部２ａを塞ぐように取り付けられ、貯蔵ケース１が挿入される挿入孔５ａが複数形成された断熱パネル５とを有する。
【００２８】
本発明の実施例２に係る超低温フリーザは、冷凍室２の開口部２ａが本体３の上面方向に形成されている横型のフリーザである。横型のフリーザは、実施例１の縦型のフリーザに比べ設置スペースを必要とするが、冷凍室２内の冷気が重く外部に流出しにくいため、冷却効率が高いという利点がある。
【００２９】
冷凍室２には断熱材が内装されている。
【００３０】
貯蔵ケース１は取っ手１ａと断熱材で形成された引き出しカバー１ｂが設けられている。
【００３１】
図６に示すように、貯蔵ケース１の引き出しカバー１ｂの裏面には、断熱パネル５の挿入孔５ａに挿入され、冷凍室２内に収納された時に、断熱パネル５とともに開口部２ａを塞ぐ断熱部１ｃが設けられている。図６において、断熱パネル５の周縁部と断熱部１ｃとの間の隙間は狭く（例えば０．５ｍｍ程度に）設計することにより、冷気の漏れを最小限に抑えることが可能となる。
【００３２】
図６中、９は断熱パネル５を支持するパネル受けである。また、冷凍室２の底部と断熱パネル５との間には、断熱パネル５の支持を補強するための補強用支柱１０が複数本設けられている。
【００３３】
本体３の側部には機械室７が設けられている。機械室７には、冷凍室２内を冷凍する冷凍装置、温度センサによって検知された冷凍室２内の温度を表示する表示パネル、各種操作スイッチ等が設けられている。
【００３４】
本体３の底部には、移動用のキャスター８が取り付けられている。
【００３５】
本発明の実施例２に係る超低温フリーザによれば、貯蔵ケース１が断熱パネル５の挿入孔５ａに挿入され、冷凍室２内に収納された時に、貯蔵ケース１の断熱部１ｃと断熱パネル５とにより、冷凍室２の開口部２ａがほとんど塞がれる。従って、保存物の低温での温度維持を非常に良好にすることができる。また、開閉扉４を開けて、保存物を取り出すために貯蔵ケース１を引き出しても、引き出した部分から冷凍室２内の冷気が流出されるだけであるので、従来に比べ、開口部２ａ付近の温度の上昇を抑制できる。その結果、開口部２ａ付近での氷の付着を最小限に抑えることができるので、開閉扉４の開閉及び貯蔵ケース１の出し入れをスムーズに行うことができる。また、氷の付着に伴う開口部２ａ付近の温度上昇を抑えることにより、コンプレッサの負荷を低減できる。
【００３６】
本発明は、上記実施の形態に限定されることはなく、特許請求の範囲に記載された技術的事項の範囲内において、種々の変更が可能である。
【産業上の利用可能性】
【００３７】
本発明は、例えば検体、細胞、ＤＮＡ、血液、製剤、高級食料品等の各種保存物を超低温で保存でき、かつ、開閉扉の開口部付近に発生する氷の付着を最小限に抑えることができる超低温フリーザとして、産業上利用できる。
【図面の簡単な説明】
【００３８】
【図１】本発明の実施例１に係る超低温フリーザの開閉扉を閉めた状態を示す正面図である。
【００３９】
【図２】本発明の実施例１に係る超低温フリーザの開閉扉を開けた状態を示す正面図である。
【００４０】
【図３】貯蔵ケースを引き出している状態を示す図２のａ−ａ線断面図である。
【００４１】
【図４】断熱パネルを示す正面図である。
【００４２】
【図５】（Ａ）は本発明の実施例２に係る超低温フリーザを示す側面図、（Ｂ）はその正面図である。
【００４３】
【図６】貯蔵ケースを引き出している状態を示す図５（Ａ）のｂ−ｂ線断面図である。
【符号の説明】
【００４４】
１：貯蔵ケース
１ｃ：断熱部
２：冷凍室
３：本体
４：開閉扉
４ａ：内側開閉扉
４ｂ：外側開閉扉
５：断熱パネル
５ａ：挿入孔
６：ガイドレール
７：機械室
８：キャスター
９：パネル受け
１０：補強用支柱
【図１】
2005030703.tif 000003
【図２】
2005030703.tif 000004
【図３】
2005030703.tif 000005
【図４】
2005030703.tif 000006
【図５】
2005030703.tif 000007
【図６】
2005030703.tif 000008